(57)【特許請求の範囲】
【請求項１】
粉末または顆粒状の固形の第１透析液調製剤が収容された第１透析液調製剤容器と、定量ポンプと、第２透析液調製剤が収容された第２透析液調製剤容器と、給水源のポンプが、第１透析液調製剤容器、第２透析液調製容器、給水源との接続部および透析液貯留容器と切り換え可能に接続されてなる透析液調製装置であって、
第１透析液調製剤容器への溶解液の供給および、該第１透析液調製剤容器に収容された第１透析液調製剤と該第１透析液調製剤容器に供給された該溶解液との混合液を定量ポンプ内に吸引し、該第１透析液調製剤容器に移送する操作が、定量ポンプによって行われ、
液状の第２透析液調製剤と希釈水および液状の第１透析液調製剤が、定量ポンプによってそれぞれこの順序で定量採取され希釈混合されて、透析液が調製される透析液調整装置。
【請求項２】
前記第２透析液調製剤容器が収容された第２透析液調製剤が、液状の第２透析液調製剤である請求項１に記載の透析液調製装置。
【発明の詳細な説明】
【０００１】
【発明の属する技術分野】
本発明は、固形の透析液調製剤を使用する透析液調製装置に関する。本発明の透析液調製装置は、固形の透析液調製剤を衛生的かつ効率的に溶解することができ、特に多人数用の透析液供給装置に好適である。
【０００２】
【従来の技術】
透析液調製剤は、濃厚液や粉状または顆粒状の固形剤として市販されており、使用時に希釈水で希釈して濃度調製し透析液として使用している。
従来、粉末または顆粒状の固形透析液調製剤を用いた透析液の調製は、大きく分けて、固形透析液調製剤を溶解して濃厚液を作製する工程と、この濃厚液を希釈して透析液を調製する工程からなっている。固形透析液調製剤としてはＡ剤（電解質成分で重曹を含んでいないもの）とＢ剤（重曹を含んだもの）の２種の透析液調製剤が用いられており、固形透析液調製剤を溶解する場合、これらの２剤の溶解装置が必要であり、さらに濃厚透析液の希釈を行うための希釈水供給装置も必要になる。従って、３台の装置の管理が必要であり、装置の洗浄も面倒なものであった。
【０００３】
また、このような固形透析液調製剤の溶解混合作業は、クリーンルーム等の清浄な雰囲気で行われることはなく、通常、例えば一回の透析に必要な固形透析液調製剤をホッパー等で混合槽に移送して行っており、大気との接触により細菌や塵埃が混入する虞があり、また、固形透析液調製剤の入った容器の開封や投入に際して作業者の手で汚染される虞があり衛生的な面で問題があった。
【０００４】
【発明が解決しようとする課題】
本発明は、上記のような事情に鑑みてなされたものであり、薬剤が大気に接触する機会を無くし、溶解タンクを不用にすることで装置内の洗浄、消毒を簡便に行うことができるようにした透析液調製装置を提供することを目的とする。
【０００５】
【課題を解決するための手段】
本発明者等は、上記の課題を解決するために鋭意検討の結果、定量ポンプ（ベローフラムポンプ）を採用することにより、固形透析液調製剤からの濃厚透析液（透析液原液）を作製する工程から、２種類の濃厚透析液を希釈混合して透析液を調製する工程までを１つの機構部分で行うことが出来ることに想到し、本発明に到達した。すなわち本発明の透析液調製装置は、粉末または顆粒状の固形の第１透析液調製剤が収容された第１透析液調製剤容器と、定量ポンプと、第２透析液調製剤が収容された第２透析液調製剤容器と、給水源との接続部と、調製された透析液を貯留する透析液貯留容器を含んでなり、前記定量ポンプが、第１透析液調製剤容器、第２透析液調製剤容器、給水源との接続部および透析液貯留容器と切り替え可能に接続されてなる。
【０００６】
ここで、第１透析液調製剤容器への溶解液の供給および第１透析液調製剤と溶解液の混合操作は、定量ポンプによって行うことができる。また、第２透析液調製剤容器には、液状の第２透析液調製剤が収容されていても、粉末または顆粒状の固形透析液調製剤が収容されていてもよく、後者の場合、第２透析液調製剤容器への溶解液の供給および第２透析液調製剤と溶解液の混合操作は、定量ポンプによって行うことができる。また、液状の第２透析液調製剤と希釈水および液状の第１透析液調製剤は、定量ポンプによってそれぞれこの順序で定量採取し希釈混合することができる。
【０００７】
また、本発明の透析液調製装置は、１剤型の透析液調製剤に対応させて、粉末または顆粒状の固形の透析液調製剤が収容された透析液調製剤容器と、定量ポンプと、給水源との接続部とを含んでなり、前記定量ポンプが、透析液調製剤容器および給水源との接続部と切り替え可能に接続されてなる態様にすることができる。
【０００８】
【発明の実施の形態】
次に本発明の実施例について図面に基づいて説明する。
図１は本発明の透析液調製装置の一実施例を示す概略系統図である。また、図２〜図５は本発明の透析液調製装置を用いた濃厚透析液の作製操作の説明図であり、図２は定量ポンプへの給水工程、図３はＢ剤溶解工程、図４は攪拌混合工程、図５は攪拌終了後Ｂ液を第１透析液調製剤容器に戻す工程を示す。また、図６〜図９は本発明の透析液調製装置を用いた透析液の調製操作の説明図であり、図６はＡ液定量工程、図７はＲＯ水定量工程、図８はＢ液定量工程、図９は希釈終了後調製された透析液を透析液貯留容器に移送する工程を示す。また、図１０は本発明の透析液調製装置の他の実施例を示す概略系統図であり、１剤型の透析液調製剤に対応させた態様を示す。
【０００９】
本発明の透析液調製装置は、図１に示すように、第１透析液調製剤容器１と定量ポンプ３と第２透析液調製剤容器２と給水源との接続部４と透析液貯留容器５を含んでなり、定量ポンプ３が、第１透析液調製剤容器１、第２透析液調製剤容器２、給水源との接続部４および透析液貯留容器５と切り替え可能に接続されてなる。第１透析液調製剤容器１には粉末または顆粒状の固形の第１透析液調製剤が収容され、第２透析液調製剤容器２には第２透析液調製剤が収容されている。図中、Ｖ1 、Ｖ2 、Ｖ4 、Ｖ5 はそれぞれ、定量ポンプ３と第１透析液調製剤容器１、第２透析液調製剤容器２、給水源との接続部４および透析液貯留容器５との接続を切り替える開閉弁である。
【００１０】
本発明の透析液調製装置では、第１透析液調製剤容器１および第２透析液調製剤容器２は、透析液調製装置に着脱自在にすることができる。従って、例えば予め透析液調製剤が収容され市販の透析液調製剤容器を使用すれば、収容された透析液調製剤が大気に接触したり作業者の手で汚染さる虞が殆ど無くなる。
第１透析液調製剤としては、一般に、濃厚液の状態では安定性が悪く保存がきかない重炭酸ナトリウムを含むＢ剤が、第２透析液調製剤としては、電解質成分で重炭酸ナトリウムを含まないＡ剤が採用される。Ａ剤は濃厚液であっても粉末または顆粒状の固形透析液調製剤であってもよい。
【００１１】
また、本発明の透析液調製装置では、第１透析液調製剤容器１への溶解液の供給および第１透析液調製剤（Ｂ剤）と溶解液の混合操作は、定量ポンプ３によって行うことができる。また、第２透析液調製剤容器２に粉末または顆粒状の固形透析液調製剤（Ａ剤）が収容されている場合、第２透析液調製剤容器２への溶解液の供給および第２透析液調製剤と溶解液の混合操作も、定量ポンプ３によって行うことができる。また、液状の第２透析液調製剤（Ａ液））と希釈水および液状の第１透析液調製剤（Ｂ液）は、定量ポンプ３によってそれぞれこの順序で定量採取し希釈混合することができる。
【００１２】
尚、本発明の透析液調製装置は、図１０に示すような、１剤型の透析液調製剤に対応させた態様にすることもできる。すなわち、粉末または顆粒状の固形の透析液調製剤が収容された透析液調製剤容器６と、定量ポンプ３と、給水源との接続部４とを含んでなり、定量ポンプ３が、透析液調製剤容器６および給水源との接続部４と切り替え可能に接続されてなる態様である。調製された透析液は別途設けられた透析液貯留容器（図示していない）に貯留しても、直接透析装置に接続してもよい。
【００１３】
次に、本発明の透析液調製装置を用いた濃厚透析液の作製操作および、透析液調製操作について図面を用いて説明する。
〔濃厚透析液の作製操作〕
図１において、第１透析液調製剤容器１には粉末状のＢ剤が収容され、第２透析液調製剤容器２には液状のＡ剤（Ａ液）が収容されており、開閉弁Ｖ1 、Ｖ2 、Ｖ4 、Ｖ5 は全て閉じられている。
先ず、開閉弁Ｖ4 を開き定量ポンプ３を駆動させて定量ポンプ３内に所定量の水を吸入する（図２参照）。次に、開閉弁Ｖ4 を閉じＶ1 を開いて、定量ポンプ３を駆動させ、定量ポンプ３内に吸入されたＲＯ水を第１透析液調製剤容器１に移送してＢ剤を溶解させる（図３参照）。この状態で定量ポンプ３を駆動して、第１透析液調製剤容器１の水とＢ剤の混合液を定量ポンプ３内に吸引し再び第１透析液調製剤容器１に移送する操作を数回繰り返して、混合液を良く攪拌すればＢ液が作製される（図４参照）。作製されたＢ液は最後に第１透析液調製剤容器１に移送される（図５参照）。
【００１４】
〔透析液調製操作〕
図５の状態において、開閉弁Ｖ1 を閉じＶ2 を開いて、定量ポンプ３を駆動させ、所定量のＡ液を定量ポンプ３内に吸入する（図６参照）。次に、開閉弁Ｖ2 を閉じＶ4 を開いて、定量ポンプ３を駆動させ、所定量のＲＯ水を定量ポンプ３内に吸入する（図７参照）。次いで、開閉弁Ｖ4 を閉じＶ1 を開いて、定量ポンプ３を駆動させ、第１透析液調製剤容器１内のＢ液を所定量定量ポンプ３内に吸入する（図８参照）。最後に、開閉弁Ｖ1 を閉じＶ5 を開いて、定量ポンプ３を駆動させ、定量ポンプ３内のＡ液、Ｂ液、ＲＯ水の混合液を透析液貯留容器５に移送すれば、所望の濃度の透析液が調製される（図９参照）。
【００１５】
【発明の効果】
以上説明してきたことから明らかなように、本発明の透析液調製装置を採用することにより、薬剤が大気に接触する機会を無くすることが出来るので、細菌等による透析液の汚染を防止することができる。また、溶解タンクが不用になるので、装置内の洗浄、消毒を簡便に行うことができる。
【図面の簡単な説明】
【図１】  本発明の透析液調製装置の一実施例を示す概略系統図である。
【図２】  本発明の透析液調製装置を用いた濃厚透析液の作製工程の説明図であり、定量ポンプへの給水工程を示す。
【図３】  本発明の透析液調製装置を用いた濃厚透析液の作製工程の説明図であり、Ｂ剤溶解工程を示す。
【図４】  本発明の透析液調製装置を用いた濃厚透析液の作製工程の説明図であり、攪拌混合工程を示す。
【図５】  本発明の透析液調製装置を用いた濃厚透析液の作製工程の説明図であり、攪拌終了後Ｂ液を第１透析液調製剤容器に戻す工程を示す。
【図６】  本発明の透析液調製装置を用いた濃厚透析液の希釈工程の説明図であり、Ｂ液定量工程を示す。
【図７】  本発明の透析液調製装置を用いた濃厚透析液の希釈工程の説明図であり、ＲＯ水定量工程を示す。
【図８】  本発明の透析液調製装置を用いた濃厚透析液の希釈工程の説明図であり、Ａ液定量工程を示す。
【図９】  本発明の透析液調製装置を用いた濃厚透析液の希釈工程の説明図であり、希釈終了後調製された透析液を透析液貯留容器に移送する工程を示す。
【図１０】  本発明の透析液調製装置の他の実施例を示す概略系統図であり、１剤型の透析液調製剤に対応させた態様を示す。
【符号の説明】
１  第１透析液調製剤容器
２  第２透析液調製剤容器
３  定量ポンプ
４  給水源との接続端
５  透析液貯留容器
６  透析液調製剤容器
Ｖ1 、Ｖ2 、Ｖ4 、Ｖ5   開閉弁
【図１】
0003937421.tif 000002
【図２】
0003937421.tif 000003
【図３】
0003937421.tif 000004
【図４】
0003937421.tif 000005
【図５】
0003937421.tif 000006
【図６】
0003937421.tif 000007
【図７】
0003937421.tif 000008
【図８】
0003937421.tif 000009
【図９】
0003937421.tif 000010
【図１０】
0003937421.tif 000011